(57)【要約】【課題】梱包状態での積上時に座屈しにくい仕切付き陳列箱を提供する。【解決手段】周壁をなす４枚の側壁１，２のうち、１枚の側壁２は隣接する側壁１から延びる部分を継ぎ合わせて形成し、その一方から延出した仕切板３の先端を対向する側壁２に固着し、陳列時には、側壁１を横方向の引裂帯７及び縦方向の切目線８沿いに切断して、その内側を開口させる仕切付き陳列箱において、前記縦方向の切目線８を隣接する側壁２との稜線に沿わせ、切目線８による側壁１の強度低下を防止する。【選択図】　図２
2004051149.tif 000002
【特許請求の範囲】
【請求項１】
周壁をなす４枚の側壁のうち、１枚の側壁は隣接する側壁から延びる部分を継ぎ合わせて形成し、その一方から延出した仕切板の先端を対向する側壁に固着し、陳列時には、側壁を横方向の引裂帯及び縦方向の切目線沿いに切断して、その内側を開口させる仕切付き陳列箱において、前記縦方向の切目線を隣接する側壁との稜線に沿わせたことを特徴とする仕切付き陳列箱。
【請求項２】
前記引裂帯の摘み部を、隣接する側壁との稜部に設けたことを特徴とする請求項１に記載の仕切付き陳列箱。
【請求項３】
前記縦方向の切目線を、箱の上角部付近ではジッパではなくミシン目又は罫線としたことを特徴とする請求項１に記載の仕切付き陳列箱。
【発明の詳細な説明】
【０００１】
【発明の属する技術分野】
この発明は、側壁間を横切る仕切板を一体に設け、配送及び陳列に兼用する仕切付き陳列箱に関するものである。
【０００２】
【従来の技術】
例えば、スタンディングパウチ入りの液体洗剤の配送に際しては、図１１に示すように、周壁をなす４枚の側壁５０，５１のうち、１枚の側壁５１は隣接する側壁５０から延びる部分を継ぎ合わせて形成し、その一方から延出した仕切板５２の先端を対向する側壁５１に固着し、側壁５１，５０の上下縁から延出したフラップ５３，５４を重ね合わせて封緘する段ボール箱が使用されている。
【０００３】
この段ボール箱の側壁５０，５１の下部裏面には、カットテープの引裂帯５５が横方向に貼り付けられ、側壁５０には、両側の側壁５１との稜線から間隔をおいて引裂帯５５から上端へ向かう縦方向のジッパ形切目線５６と、上方のフラップ５４との稜線に沿って切目線５６を結ぶ横方向のジッパ形切目線５７とが設けられている。引裂帯５５の摘み部５８は、切目線５６の下端に位置している。
【０００４】
このような段ボール箱は、商品を梱包した状態で多数積み上げて小売店へ配送され、店頭で商品を陳列する際には、側壁５０を引裂帯５５及び切目線５６，５７沿いに切断して、その内側を開口させて数段積み上げ、最上段の箱は、側壁５０，５１の残存部を引裂帯５５沿いに切断し、上方のフラップ５３，５４と共に除去してトレー状にすることにより、商品の視認性を高めている。
【０００５】
【発明が解決しようとする課題】
しかしながら、上記のような段ボール箱は、配送時に商品を梱包した状態で多数積み上げると、側壁５０は、座屈線が入りやすい位置に切目線５６や摘み部５８が存在して、強度が低下していることから、側壁５０に上角部から座屈が発生し、外観が醜くなるほか、商品の上部が折れ曲がったりすることがある。
【０００６】
そこで、この発明は、梱包状態での積上時に座屈しにくい仕切付き陳列箱を提供することを課題とする。
【０００７】
【課題を解決するための手段】
上記課題を解決するため、この発明は、周壁をなす４枚の側壁のうち一枚を分割してその一方から仕切板を延出し、陳列時には、側壁を横方向の引裂帯及び縦方向の切目線沿いに切断して、その内側を開口させる仕切付き陳列箱において、前記縦方向の切目線を隣接する側壁との稜線に沿わせ、側壁の強度低下を防止することとしたのである。
【０００８】
また、前記引裂帯の摘み部を、隣接する側壁との稜部に設けると、側壁の摘み部における座屈も防止される。
【０００９】
さらに、前記縦方向の切目線を、箱の上角部付近ではジッパではなくミシン目又は罫線とすると、落下時に箱の上角部が破れる現象が防止される。
【００１０】
【発明の実施の形態】
まず、この発明の第１実施形態を図１乃至図３に基づいて説明する。
【００１１】
図１に示すように、この仕切付き陳列箱の段ボールシートから成るブランクでは、幅が広い２枚の側壁１の間に幅が狭い１枚の側壁２が連設されると共に、各側壁１の外側に側壁２の部分が連設され、一方の側壁２の部分から仕切板３が延出されている。仕切板３の先端には継代４が設けられ、各側壁１，２の上下縁にはそれぞれフラップ５，６が連設されている。
【００１２】
各側壁１，２及び仕切板３の裏面下部には引裂帯７としてカットテープが貼着され、隣接する側壁１，２の稜線に沿って引裂帯７から上端まで縦方向のジッパ形切目線８が設けられている。また、引裂帯７の摘み部９，１０が側壁１，２の稜部に及び継ぎ合わされる側壁２の端部にそれぞれ設けられている。この摘み部９，１０から引裂帯７を引くと、側壁１，２が切断される。
【００１３】
このブランクを組み立てるには、図２に示すように、側壁１，２を順次折り曲げ、分割された一方の側壁２を継ぎ合わせると共に、仕切板３を折り曲げて、継代４を他方の側壁２の裏面に貼り付ける。このとき、隣接する側壁１，２は切目線８に沿って正確に折り曲げられる。
【００１４】
そして、商品の梱包に際しては、下方のフラップ５，６を貼り合わせて底面を閉止し、商品を箱の内部に収納した後、上方のフラップ５，６を貼り合わせて、天面を封止する。
【００１５】
このように商品を梱包した箱は、側壁１の内側部分に強度を低下させる切目線８や摘み部９が位置していないので、商品の配送時に積上荷重が作用しても、側壁１に座屈が発生しにくい。このため、材料に低グレードのものを使用して、コストダウンを図ることができる。
【００１６】
また、商品を店頭で陳列する際には、引裂帯７を摘み部９から引いて、側壁１を引裂帯７及び切目線８沿いに切断し、その内側部分を上方のフラップ６と共に除去して開口させると、図３に示すように、側面が全幅に亘って大きく開口するので、商品の視認性が高まり、優れた陳列効果が得られる。
【００１７】
なお、一方の側壁１の両側にのみ切目線８を設け、その側面だけを開口させるようにすると、梱包状態での圧縮強度はさらに向上する。この場合においても、陳列状態での開口面積が大きいので、陳列効果があまり低下することはない。
【００１８】
また、この箱では、引裂帯７の摘み部９が側壁１，２の稜部に位置していることから、製函時に摘み部９が捲れやすいので、図４に示すように、摘み部９の外縁に繋部１１を設けておくと、製函機でのトラブルが防止され、梱包状態での圧縮強度もさらに向上する。
【００１９】
次に、この発明の第２実施形態を、図５乃至図７に基づいて、上記第１実施形態との相違点を中心に説明する。
【００２０】
この箱では、図５のブランクに示すように、側壁１の２本の切目線８のうち、一方の切目線８のみが隣接する側壁２との稜線に沿い、他方の切目線８は隣接する側壁２との稜線から間隔をおいて側壁１の内部に設けられている。
【００２１】
また、隣接する側壁２との稜線に沿う切目線８は、上部の切目１２がジッパではなく、直線状のミシン目とされている。なお、切目１２に代えて、押し罫線にしてもよい。
【００２２】
このような箱は、図６に示すような梱包状態で上角部から落下しても、隣接する側壁１，２の稜部が破れにくくなる。なお、側壁１を切り開く際には、切目線８に沿って下方から勢いよく切断するので、作業性が低下することはない。
【００２３】
また、図７に示すような陳列状態においては、側壁１の一側部は残存するが、他側部は隣接する側壁２との稜線まで開口しているので、商品の視認性が確保され、十分な陳列効果が得られる。
【００２４】
次に、この発明の第３実施形態を、図８乃至図１０に基づいて、上記第２実施形態との相違点を中心に説明する。
【００２５】
この箱では、図８のブランクに示すように、側壁１の２本の切目線８のうち、一方の切目線８のみが隣接する中間の側壁２との稜線に沿い、他方の切目線８は隣接する側壁２の稜線から間隔をおいて側壁１の内部に設けられている。また、継代４の基端にはジッパ形切目線１３が設けられている。
【００２６】
このような箱は、図９に示すような梱包状態から、側壁１及び一方の側壁２を引裂帯７及び切目線８沿いに切断し、その切断部分を上方のフラップ５，６と共に除去して開口させると、図１０に示すように、三面に亘って大きく開口するので、商品の視認性が高まり、優れた陳列効果が得られる。
【００２７】
【発明の効果】
以上のように、この発明に係る仕切付き陳列箱は、店頭での陳列時に側壁を切断する縦方向の切目線を、隣接する側壁との稜線に沿って設けたので、側壁の強度低下が防止され、梱包状態での積上時に座屈しにくくなり、外観不良の発生が防止されるほか、製函適性も向上する。
【００２８】
また、前記引裂帯の摘み部を、隣接する側壁との稜部に設けると、側壁の摘み部における座屈も防止される。
【００２９】
さらに、前記縦方向の切目線を、上角部付近ではジッパではなくミシン目又は罫線とすると、落下時に箱の上角部が破れる現象が防止される。
【図面の簡単な説明】
【図１】この発明の第１実施形態に係る仕切付き陳列箱のブランクを示す図
【図２】同上の梱包状態を示す斜視図
【図３】同上の陳列状態を示す斜視図
【図４】同上の引裂帯の摘み部を示す拡大図
【図５】この発明の第２実施形態に係る仕切付き陳列箱のブランクを示す図
【図６】同上の梱包状態を示す斜視図
【図７】同上の陳列状態を示す斜視図
【図８】この発明の第３実施形態に係る仕切付き陳列箱のブランクを示す図
【図９】同上の梱包状態を示す斜視図
【図１０】同上の陳列状態を示す斜視図
【図１１】従来の仕切付き陳列箱の斜視図
【符号の説明】
１，２　側壁
３　仕切板
４　継代
５，６　フラップ
７　引裂帯
８　切目線
９，１０　摘み部
【図１】
2004051149.tif 000003
【図２】
2004051149.tif 000004
【図３】
2004051149.tif 000005
【図４】
2004051149.tif 000006
【図５】
2004051149.tif 000007
【図６】
2004051149.tif 000008
【図７】
2004051149.tif 000009
【図８】
2004051149.tif 000010
【図９】
2004051149.tif 000011
【図１０】
2004051149.tif 000012
【図１１】
2004051149.tif 000013